(57)【要約】複数のソースから得られた医療情報を表示するインターネットコンパティブルなシステムおよび方法を提案する。所定の患者に関連するベンチレーションユニットのパラメータおよび設定を主として周期的に、またユーザコマンドに応じて取得する。受信されたベンチレーションユニットのパラメータおよび設定には所望の順序で表示のための優先順位が付けられる。新たに取得されたベンチレーションユニットのパラメータおよび設定のうち、旧いパラメータおよび設定から変化があったものを区別するために属性が割り当てられる。
2004512916.tif 000002
【特許請求の範囲】
【請求項１】
複数のソースから得られた医療情報を表示するインターネットコンパティブルシステムにおいて、
所定の患者に関連するベンチレーションユニットのパラメータを主として周期的に、またユーザコマンドに応じて取得する通信ネットワークと、
受信されたベンチレーションユニットのパラメータに所望の順序で表示のための優先順位を付け、ベンチレーションユニットのパラメータの変化を区別するために属性を割り当てる装置とを有する
ことを特徴とするインターネットコンパティブルシステム。
【請求項２】
前記属性とは異なる色である、請求項１記載のシステム。
【請求項３】
通信ネットワークはベンチレーションユニットのパラメータのほかに設定も取得し、受信された設定にはパラメータと同様に優先順位が付けられる、請求項２記載のシステム。
【請求項４】
順位付けられたパラメータおよび設定を第１のウィンドウに表示するためにウィンドウを生成するメニュージェネレータを有する、請求項３記載のシステム。
【請求項５】
前記メニュージェネレータはインターネットブラウザである、請求項４記載のシステム。
【請求項６】
ベンチレーションユニットのパラメータおよび設定が表示される際には変化したパラメータまたは変更された設定が異なる色で表示される、請求項４記載のシステム。
【請求項７】
前記装置により第１のユーザコマンドに応じてベンチレーションユニットのパラメータおよび設定の新たなセットが取得される、請求項３記載のシステム。
【請求項８】
前記装置により第２のユーザコマンドに応じてベンチレーションユニットのパラメータおよび設定に所望の順序で優先順位が付けられる、請求項３記載のシステム。
【請求項９】
前記第２のユーザコマンドはフィルタリングされたリストの選択を含む、請求項８記載のシステム。
【請求項１０】
前記第２のユーザコマンドは選択されたパラメータおよび設定の値のセットの形成を含む、請求項８記載のシステム。
【請求項１１】
前記メニュージェネレータはユーザが複数のソースのうち１つを選択することを含む、請求項４記載のシステム。
【請求項１２】
複数のソースから得られた医療情報を表示するインターネットコンパティブルな方法において、
所定の患者に関連するベンチレーションユニットのパラメータを主として周期的に、またユーザコマンドに応じて取得するステップと、
受信されたベンチレーションユニットのパラメータに所望の順序で表示のための優先順位を付け、ベンチレーションユニットのパラメータの変化を区別するために属性を割り当てるステップとを有する
ことを特徴とするインターネットコンパティブルな方法。
【請求項１３】
前記属性は異なる色である、請求項１２記載の方法。
【請求項１４】
前記取得のステップでベンチレーションユニットのパラメータのほかに設定も取得し、前記優先のステップで受信されたパラメータと同様に受信された設定にも優先順位を付ける、請求項１３記載のシステム。
【請求項１５】
順位付けられたパラメータおよび設定を表示するウィンドウを生成するステップを含む、請求項３記載の方法。
【請求項１６】
前記生成のステップをインターネットブラウザにより行う、請求項１５記載の方法。
【請求項１７】
前記生成のステップでベンチレーションユニットのパラメータおよび設定が表示される際に変化したパラメータまたは変更された設定が異なる色で表されるようにする、請求項１５記載の方法。
【請求項１８】
第１のユーザコマンドに応じてベンチレーションユニットの新たなパラメータおよび設定の別のセットを取得するステップを含む、請求項１４記載の方法。
【請求項１９】
第２のユーザコマンドに応じてベンチレーションユニットのパラメータおよび設定に所望の順序で表示のための優先順位を付けるステップを含む、請求項１４記載の方法。
【請求項２０】
前記第２のユーザコマンドはフィルタリングリストの選択を含む、請求項１９記載の方法。
【請求項２１】
前記第２のユーザコマンドは選択されたパラメータおよび設定の値のセットの形成を含む、請求項１９記載の方法。
【請求項２２】
ユーザが複数のソースのうち１つを選択するステップを含む、請求項１２記載の方法。
【請求項２３】
パラメータおよび設定を含むベンチレーションユニットのデータを医療機器から通信ネットワークを介して取得し記憶する方法において、
通信ネットワークを介した医療機器との通信を確立するステップと、
選択されたベンチレーションユニットのデータを医療機器から通信ネットワークを介して取得するステップと、
取得されたベンチレーションユニットのデータのうち少なくとも１つ、すなわち１）ベンチレーションユニットの設定、または２）ベンチレーションユニットのパラメータの値が変化したか否かを判別するステップと、
値が変化している場合に取得したベンチレーションユニットのデータを記憶するステップとを有する
ことを特徴とするベンチレーションユニットのデータを医療機器から通信ネットワークを介して取得し記憶する方法。
【請求項２４】
選択されたベンチレーションユニットのデータがユーザの要求に応じて取得されている場合には、自動的に、すなわち判別ステップなしに取得したデータを記憶する、請求項２３記載の方法。
【請求項２５】
先行の取得データから変化しているベンチレーションユニットのデータを区別するために属性を割り当てるステップを含む、請求項２３記載の方法。
【請求項２６】
値が所定の閾値を超えて変化しているか否かを判別するステップを含む、請求項２３記載の方法。
【請求項２７】
パラメータおよび設定を含むベンチレーションユニットのデータを医療機器から通信ネットワークを介して取得し記憶する方法において、
通信ネットワークを介した医療機器との通信を確立するステップと、
選択されたベンチレーションユニットのデータを周期的に医療機器から通信ネットワークを介して取得するステップと、
取得されたベンチレーションユニットのデータの値が変化したか否かを判別するステップと、
値が変化している場合に取得したベンチレーションユニットのデータを記憶するステップとを有する
ことを特徴とするベンチレーションユニットのデータを医療機器から通信ネットワークを介して取得し記憶する方法。
【発明の詳細な説明】
【０００１】
関連出願についてのクロスリファレンス
本明細書は２０００年１１月１３日付で出願されたＡ．Ｍ．Ｍａｎｅｔｔａの米国第６０／２４８０８７号明細書に関連している。
【０００２】
発明の属する技術分野
本発明は医療情報を処理および表示する方法に関しており、より詳細に云えば、ネットワーク環境におけるベンチレーションユニットのデータを処理および表示する方法に関している。
【０００３】
発明の背景
ベンチレーションユニットは、通常、患者の肺による呼吸気の交換を補助するために用いられ、患者自身の呼吸能力が何らかのかたちで損なわれている場合に患者を支援する。ベンチレーションユニットを適切に管理するために、介護者はまずベンチレーションユニットに対する種々のセッティングを設定しなければならない。ベンチレーションユニットの制御に通常必要とされる設定の例として
ａ）ピーク吸気圧ＰＩＰ：ガスを吸入する期間中のピーク圧を制限すること
ｂ）ポジティブエンド呼気圧ＰＥＥＰ：ガスを吐出する期間の終了時のピーク圧を制限すること
が挙げられる。他のベンチレーションユニットの設定も同様に個々のベンチレーションユニットの能力に応じて制御される。
【０００４】
加えて、幾つかのベンチレーションユニットには種々のセンサが設けられており、これにより患者の介護者は患者の状況をベンチレーションユニットを介して監視することができる。通常監視されるベンチレーションユニットのパラメータの例として、
ａ）平均気道圧ＭＡＰ：呼吸サイクル中の気道内の測定平均圧
ｂ）吸入量ＴＶｉ：患者が通常の呼吸で吸入したガスの測定容積
が挙げられる。他のベンチレーションユニットのパラメータも同様に個々のベンチレーションユニットの能力に応じて制御される。
【０００５】
発明の概要
本発明の発明者は、呼吸療法に関するより多くの知識が得られ、制御ないしは監視すべき複数の設定およびパラメータとが技術の進歩とともに増大しつつあることから、ユーザフレンドリでありかつ効率的であるベンチレーションユニットの設定およびパラメータの処理・表示に対する大きな要求が生じていることを認識している。
【０００６】
さらに本発明の発明者は、ユーザがベンチレーションユニットから遠隔したどのような場所にあっても、例えばローカルエリアネットワークおよび／またはワイドエリアネットワーク（インターネットなど）を介してデータの収集・処理・表示が可能となる汎用のコンピュータ装置が求められていることも理解している。また、特定のベンチレーションユニットからのデータのみでなく、他の医療装置（例えば麻酔システムまたは他のベンチレーションユニット）からのデータを処理および表示できる機器も所望されている。
【０００７】
したがって、インターネットコンパティブルなシステムおよび方法を提供し、複数のソースから導出された医療情報を表示できるようにする。所定の患者に関するベンチレーションユニットのパラメータおよび／または設定が主として周期的に取得され、またユーザコマンドに応じて取得される。受信されたベンチレーションユニットのパラメータには所望の順序で表示のために優先順位が付される。さらに新たに取得されたベンチレーションユニットのパラメータおよび設定のうち、旧いパラメータおよび設定から変化があったものを区別するために属性が割り当てられる。
【０００８】
本発明の別の実施形態では、ベンチレーションユニットのデータはユーザコマンドに応じてではなく周期的に取得され、ベンチレーションユニットのデータは取得された設定のデータに変化があった場合にのみ記憶される。これは、例えば不規則な変化が頻繁にベンチレーションユニットのパラメータに生じるとき、設定の重大な変更が見取りにくくなってしまう危険を回避できるので有利である。
【０００９】
図面の説明
図１には本発明の方式による種々の機器の通信ネットワークのブロック図が示されている。図２Ａ、図２Ｂには本発明によるシステムのフローチャートが示されている。図３には本発明のベンチレーションユニットの表示データが示されている。図４には本発明によりウェブブラウザを用いて入力されるベンチレーションユニットのパラメータおよび設定の実施例が示されている。図５には本発明により表示されるベンチレーションユニットのデータのユーザカスタマイズの実施例が示されている。図６にはカスタマイズされたデータの表示の実施例が示されている。
【００１０】
詳細な説明
図１には本発明の方式による種々の機器の通信ネットワークのブロック図が示されている。図１に示されているように、通信ネットワーク１はインターネットプロトコルＩＰにコンパティブルなネットワークとして表されており、相互に接続されたローカルエリアネットワークおよびワイドエリアネットワークの階層を有する。この実施例では病院ネットワークまたは医療ネットワークはＩＰコンパティブルネットワークであるが、他のタイプのネットワーク、例えば光ネットワークまたは無線ネットワーク、または他のコンピュータプロトコルを使用するＸ．２５、フレームリレー、ＩＢＭＳＮＡなどであってもよい。これらは実施例であって限定されるものではなく、当該の技術分野の技術者の理解の及ぶものであれば使用可能である。さらに、この実施例のネットワークは階層ネットワークであるが、このことも本発明の必須事項ではない。どんなタイプのネットワークアーキテクチャであってもネットワーク上のデバイス間の通信接続が行えるものであれば使用することができる。
【００１１】
図１に示されているように、この実施例の階層ネットワーク１の第１のレベルはメディカルインタフェースバスＭＩＢ２を含んでいる。ＭＩＢは医療機器をローカルに相互接続するバスとして医療技術分野では周知の規格である。図１に示されているように、ＭＩＢ２は典型的には患者の病室の医療機器の相互接続に用いられ、特定の患者の治療が管理され、また監視される。種々の医療機器がＭＩＢ２を介して接続される。図１の実施例ではベンチレーションユニット６ａ、ＩＶポンプ（静脈ポンプ）８または他の医療装置１０が含まれている。
【００１２】
ＭＩＢ２は、典型的には、第２のレベルのＬＡＮネットワーク３へインタフェースドッキングステーションＩＤＳの装置１２を介して接続されている。このデバイスはイーサネットコンパティブルＬＡＮネットワーク３へのインタフェースとなっている。上位のレベルのＬＡＮ３は例えばＳｉｅｍｅｎｓ Ｍｅｄｉｃａｌ Ｓｙｓｔｅｍで市販しているインフィニティＬＡＮである。この上位レベルのＬＡＮ３は典型的には病院内の個々の部局、例えば集中治療室または外科病棟などで医療機関の大きさに応じて使用される（必須ではない）。
【００１３】
図１には示されていないが、１つ以上のＭＩＢを第２のレベルのＬＡＮ３へ接続する場合、ＬＡＮ３を介して１人以上の患者を監視または治療できるようになる。加えて、医療機器はより高いレベルにあるＬＡＮ３へ直接に接続されていてもよい。例えば、図１に示されているように、ベンチレーションユニット６ａおよび麻酔システム１３は直接にＬＡＮ３へ接続され、ＭＩＢを介さなくてよい。
【００１４】
さらに、ＬＡＮ３はイーサネットコンパティブルなホスピタルＬＡＮの中枢４へ接続される。この中枢ネットワーク４は病院または医療機関の種々の部局のあいだの通信を行う。例えば病院管理システム１５がＬＡＢシステム１７とともに接続されている。さらにホスピタルＬＡＮ４はリモートアクセスゲートウェイ１９を有しており、このゲートウェイは例えば遠隔の医師のオフィス２３またはケアサイト２４からのセキュアなリモートアクセスをネットワーク１の種々のシステムまたは機器へ例えばインターネット２９を介して接続する。これに代えて、遠隔のサイトはリモートアクセスゲートウェイ１９に直接にアクセスすることもできる。これは例えばダイアルアップ電話ポート、ＡＤＳＬまたは他のタイプのプライベートなコネクションにより行われる。リモートアクセスゲートウェイ１９は以下に詳述するように、周知のスタンドアローン型ではなく、サーバ２０の一部であってもよい。
【００１５】
本発明の方式によれば、中央のサーバ２０はＬＡＮ３上にあってネットワーク１上のベンチレーションユニットおよび他の医療装置からのデータを収集および処理して、表示したり制御したりする。当技術分野の技術者ならば、サーバ２０がネットワーク１の階層のどのレベルにも存在できることは容易に理解できよう。なぜならＬＡＮ３、４の種々のレベルも図１の遠隔のサイトも相互に接続されているからである。サーバ２０の例としてＳｉｅｍｅｎｓ Ｍｅｄｉｃａｌ ＳｙｓｔｅｍのＰｒｏｍｅｔｈｅｕｓが挙げられる。このサーバは例えばＭｉｃｒｏｓｏｆｔＮＴオペレーティングシステムを動作させることのできるコンピュータシステムによってホストされる。
【００１６】
図２Ａ、図２Ｂにはフローチャートの形式で本発明にしたがってサーバ２０により実行される機能が示されている。サーバ２０はまずステップ２０２でネットワーク上の機器との通信を確立する。これは例えばＩＰプロトコルとネットワーク１上の各機器に割り当てられた既知の機器のＩＰアドレスとを使用して行われる。その際には周知の高レベルのアプリケーション層のプロトコルも関連して用いられる。
【００１７】
サーバ２０と他の機器とのあいだの通信がいったん確立されると、サーバ２０は各ベンチレーションユニット（例えばネットワーク１上の６ａ、６ｂ）に対してモニタリングしているパラメータおよび選択された設定の取得を開始する。
【００１８】
ベンチレーションユニットのパラメータおよび設定をサーバ２０が各ベンチレーションユニット６ａ、６ｂから取得する手段として２つの異なる手法が存在する。ステップ２０４ではベンチレーションユニットのデータは周期的に各ベンチレーションユニット６ａ、６ｂから自動的に取得される。周期的に取得されたデータはサーバ２０内のデータベース２５内に記憶される。さらに、ステップ２０６として示されている“ｇｅｔ ｖｅｎｔｉｌａｔｏｒ”の要求は、例えばユーザコンピュータ２６からサーバへ受信され、後に詳述するように動作する。この場合、サーバ２０は即応してユーザコンピュータ２６がその時点で監視しているユニットについての新たなパラメータおよび設定を取得する。その際、ステップ２０８に示されているように、進行中の更新期間の満了は待機されない。この“ｇｅｔ ｖｅｎｔｉｌａｔｏｒ”の機能は、次の周期的な更新を待たずに迅速な判断を行うためにクリティカルなリアルタイムのデータが必要となるとき特に有利である。
【００１９】
本発明の１つの実施例では、ユーザは図１のＭｉｃｒｏｓｏｆｔＷｉｎｄｏｗｓコンパティブルなＰＣ２６、ＷｉｎｄｏｗｓＮＴコンパティブルなＰＣ２７、または他のメニュー生成プログラム（例えばＭｉｃｒｏｓｏｆｔ Ｉｎｔｅｒｎｅｔ ＥｘｐｌｏｒｅｒまたはＮｅｔｓｃａｐｅ Ｎａｖｉｇａｔｏｒなど）を動作させることのできるコンピュータを使用して、ベンチレーションユニットのパラメータおよび設定をモニタリングしている。つまりユーザはいずれかのコンピュータのウェブブラウザを用いて、サーバ２０への通信コネクションが形成されているあいだ、要求を形成してネットワーク１上のベンチレーションユニットと情報をやり取りする。これは例えば医師が遠隔の医師のオフィス２３から特定のベンチレーションユニットへアクセスするとき、専用端末へアクセスしなくてよくなるので、有利である。もちろんユーザは単純にキーボード、マウスおよび／または他のユーザインタフェース機器を用いて周知のようにユーザコンピュータでの選択または要求を入力することができる。
【００２０】
したがってサーバ２０はベンチレーションユニットのデータを例えばＨＴＭＬ（ＨｙｐｅｒＴｅｘｔ Ｍａｒｋｕｐ Ｌａｎｇｕａｇｅ）プログラミング言語にコンパティブルとなるようにフォーマット化して、データをウェブブラウザで表示することができる。またサーバはユーザのウェブブラウザに由来するＨＴＴＰ（ＨｙｐｅｒＴｅｘｔ Ｔｒａｎｓｆｅｒ Ｐｒｏｔｏｃｏｌ）コマンドに応答して要求を形成することができる。
【００２１】
図３にはベンチレーションユニットのパラメータおよび設定をユーザコンピュータ２６のウェブブラウザで本発明にしたがってどのように表示するかが示されている。
【００２２】
ユーザは特定のベンチレーションユニットへのアクセスを要求する。これは例えば患者名およびベッド番号をネットワーク上で特定し（例えばＣＵＩ３０４Ｊｏｈｎｓｏｎ殿、またはベッド１１など）、ベンチレーションユニットのテーブル３０３を選択することによって行われる。実施例として示されている図３のチャートディスプレイ３００はユーザがチャートアイコン３０５を選択したところである。実施例のチャートディスプレイ３００では、左端の列に、パラメータおよび設定を表示すべきベンチレーションユニットの名称が示されている。ここでのパラメータおよび設定の値は残りの列３１０に時間順に示される。各値がサンプリングされた時間は上方の行３１５に示されている。前述したように、“ｇｅｔ ｖｅｎｔｉｌａｔｏｒ”機能が要求されるとベンチレーションユニットのデータが取得される。この機能はユーザが図３の“ｇｅｔ ｖｅｎｔｉｌａｔｏｒ”アイコン３１７を選択することにより要求される。本発明の１つの実施例では、“ｇｅｔ ｖｅｎｔｉｌａｔｏｒ”アイコン３１７は、病院ネットワーク１上の特定のベンチレーションユニットをサーバ２０が認識している場合にのみ、ユーザコンピュータ２６によってアクティブとなり選択可能となる。
【００２３】
表示されるベンチレーションユニットのデータは付加的に図２Ｂに示されている手段でサーバ２０により処理される。図２Ｂのステップ２１０に示されているように、ベンチレーションユニットのデータがいったん特定のベンチレーションユニット（図１の６ａまたは６ｂ）から即応的にであれ周期的にであれ取得されると、サーバ２０は受信した当該のベンチレーションユニットについてのパラメータおよび設定に優先順位を付ける。サーバはこのベンチレーションユニットのデータをユーザの要求およびウェブブラウザでのカスタマイズに応じて優先し、コンピュータ２６上で後述のように処理する。
【００２４】
ステップ２１２で、データが周期的に取得されている場合、サーバ２０は新たに取得されたパラメータおよび設定とデータベース２５内に記憶されている既存の（旧い）パラメータおよび設定とを比較する。ベンチレーションユニットの少なくとも１つのパラメータまたは設定が変化している場合にのみ、ステップ２１３、２１４で、新たなデータがデータベース２５内に記憶される。このことはデータベースおよび帯域幅の有効利用を可能にする。また“ｇｅｔ ｖｅｎｔｉｌａｔｏｒ”コマンドに応じてデータが取得されている場合には、データが変化しているか否かのチェックおよび比較なしに、ステップ２１１、２１４で、サーバ２０は当該のデータを記憶する。
【００２５】
本発明の別の実施例では、発明者は、ベンチレーションユニットのパラメータは頻繁に変化する傾向にある（例えばＴＶｉは患者の１回の吸気ごとに異なる）が、他方でベンチレーションユニットの設定はそれほど変化しない点に着目した。これにより、パラメータでなく少なくとも１つのベンチレーションユニットの設定が変化したときにのみデータの周期表示を行う（つまり変化個所のみを強調する）ことができるので、介護者にとってより有意義であると考えられる。したがって本発明の１つの実施例では、ステップ２１３−１に示されているように、ベンチレーションユニットのデータはパラメータが変化したか否かにかかわらず、少なくとも１つの設定が変化した場合にのみ記憶または表示される。
【００２６】
別の実施例では、ステップ２１３−２に示されているように、さらなる柔軟性を達成するために、ユーザがデータの比較のタイプを設定して、どのデータをデータベース２５へ記憶すべきかサーバ２０に判別させることができるようにする。加えて、ユーザは比較すべきベンチレーションユニットのデータのタイプ（例えばパラメータおよび／または設定）を選択できるのみでなく、変化量の閾値を定めることもできる。すなわち、ユーザは例えば閾値のパーセンテージ数値（例えば１０％など）を選択または入力し、新たに取得されたデータがこの閾値を超過するときにのみ当該のデータを記憶または表示するように定めることができる。これによりユーザはいっそう効率的に、いっそう個々の要求に合わせたかたちでベンチレーションユニットのデータを表示させることができる。
【００２７】
ステップ２１５ではサーバ２０がベンチレーションユニットの旧いパラメータおよび設定から変化した新たなパラメータおよび設定を区別するために属性を割り当てる。この実施例では属性は表示色である。つまり図３のベンチレーションユニットのチャート表示がコンピュータ２６を介して要求されると、ベンチレーションユニットのデータにはウェブブラウザ上でカラーコードが付され、ユーザは新たなデータに変化があることを区別できるようになる。例えばスクリーンに表示されている旧いデータが一色（例えば黒）であり、時間経過にしたがって１列ずつ左へずれていく場合、変化のあった新たなデータはその時点を表す列において他の色（例えば青）で表示される。
【００２８】
本発明の別の実施例では、データのカスタマイズがユーザコンピュータのウェブブラウザを介してユーザの要求に応じて行われる。この実施例では、図４に示されているようなユーザカスタマイズスクリーン４００がユーザのブラウザの“ｃｒｅａｔｅ”アイコン４０２の選択などによって提示される。スクリーン４００に示されているように、選択されたベンチレーションユニットの種々のパラメータおよび設定が表示される。その際にパラメータおよび設定の各値は左方の空欄に表される。これによりユーザは特定の値を入力して、例えば選択された患者に対する設定をウェブブラウザを用いた遠隔制御で入力することができる。
【００２９】
さらに、ユーザは前述のように図３のオプション３０４を選択したときにパラメータまたは設定をブラウザのスクリーンに表示されている項目の“フィルタリング”を行うことができる。図５には実施例として“フィルタリングビュー”機能を実現したブラウザスクリーン５００が示されている。フィルタリング選択リストウィンドウ５０１は所定のベンチレーションユニットに対して可能なパラメータおよび設定のリストを表示する。ユーザはまずリスト中の名称のうち１つを強調表示させ、右向きの矢印キー５０７をクリックする。選択されたパラメータまたは設定はベンチレーションユニットのチャートのフィルタリングスクリーン５０４に加えられ、表示される。全ての選択が行われ、“フィルタリングビュー”スクリーンが選択されると、選択またはフィルタリングされたパラメータまたは設定は図６のスクリーン６００に示されているように表示される。この特徴により簡単かつ効率的にユーザは要求に合わせてデータビューをカスタマイズすることができる。
【００３０】
上述の種々の実施例およびその変形例は例示に過ぎず、当該の技術分野の技術者であれば、本発明の範囲を離れることなく多様な修正および変更を行えることを理解されたい。
【図面の簡単な説明】
【図１】
種々の機器の通信ネットワークのブロック図である。
【図２Ａ】
本発明の方法のフローチャートである。
【図２Ｂ】
本発明の方法のフローチャートである。
【図３】
ベンチレーションユニットの表示データである。
【図４】
ウェブブラウザを用いて入力されるベンチレーションユニットのパラメータおよび設定の実施例を示す図である。
【図５】
ベンチレーションユニットのデータのユーザカスタマイズの実施例を示す図である。
【図６】
カスタマイズされたデータの表示の実施例を示す図である。
【図１】
2004512916.tif 000003
【図２Ａ】
2004512916.tif 000004
【図２Ｂ】
2004512916.tif 000005
【国際公開パンフレット】
2004512916.tif 000006
2004512916.tif 000007
2004512916.tif 000008
2004512916.tif 000009
2004512916.tif 000010
2004512916.tif 000011
2004512916.tif 000012
2004512916.tif 000013
2004512916.tif 000014
2004512916.tif 000015
2004512916.tif 000016
2004512916.tif 000017
2004512916.tif 000018
2004512916.tif 000019
2004512916.tif 000020
2004512916.tif 000021
2004512916.tif 000022
2004512916.tif 000023
2004512916.tif 000024
2004512916.tif 000025
2004512916.tif 000026
2004512916.tif 000027
2004512916.tif 000028
2004512916.tif 000029
2004512916.tif 000030
2004512916.tif 000031
2004512916.tif 000032
2004512916.tif 000033
2004512916.tif 000034
2004512916.tif 000035
【手続補正書】
【提出日】平成14年10月22日(2002.10.22)
【手続補正１】
【補正対象書類名】明細書
【補正対象項目名】特許請求の範囲
【補正方法】変更
【補正の内容】
【特許請求の範囲】
【請求項１】
複数のソースから得られた医療情報を表示するインターネットコンパティブルシステムにおいて、
所定の患者に関連するベンチレーションユニットのパラメータを主として周期的に、またユーザコマンドに応じて取得する通信ネットワークと、
受信されたベンチレーションユニットのパラメータに所望の順序で表示のための優先順位を付け、ベンチレーションユニットのパラメータの変化を区別するために属性を割り当てる装置とを有する
ことを特徴とするインターネットコンパティブルシステム。
【請求項２】
前記属性とは異なる色である、請求項１記載のシステム。
【請求項３】
通信ネットワークはベンチレーションユニットのパラメータのほかに設定も取得し、受信された設定にはパラメータと同様に優先順位が付けられる、請求項２記載のシステム。
【請求項４】
順位付けられたパラメータおよび設定を第１のウィンドウに表示するためにウィンドウを生成するメニュージェネレータを有する、請求項３記載のシステム。
【請求項５】
前記メニュージェネレータはインターネットブラウザである、請求項４記載のシステム。
【請求項６】
ベンチレーションユニットのパラメータおよび設定が表示される際には変化したパラメータまたは変更された設定が異なる色で表示される、請求項４記載のシステム。
【請求項７】
前記装置により第１のユーザコマンドに応じてベンチレーションユニットのパラメータおよび設定の新たなセットが取得される、請求項３記載のシステム。
【請求項８】
前記装置により第２のユーザコマンドに応じてベンチレーションユニットのパラメータおよび設定に所望の順序で優先順位が付けられる、請求項３記載のシステム。
【請求項９】
前記第２のユーザコマンドはフィルタリングされたリストの選択を含む、請求項８記載のシステム。
【請求項１０】
前記第２のユーザコマンドは選択されたパラメータおよび設定の値のセットの形成を含む、請求項８記載のシステム。
【請求項１１】
前記メニュージェネレータはユーザが複数のソースのうち１つを選択することを含む、請求項４記載のシステム。
【請求項１２】
複数のソースから得られた医療情報を表示するインターネットコンパティブルな方法において、
所定の患者に関連するベンチレーションユニットのパラメータを主として周期的に、またユーザコマンドに応じて取得するステップと、
受信されたベンチレーションユニットのパラメータに所望の順序で表示のための優先順位を付け、ベンチレーションユニットのパラメータの変化を区別するために属性を割り当てるステップとを有する
ことを特徴とするインターネットコンパティブルな方法。
【請求項１３】
前記属性は異なる色である、請求項１２記載の方法。
【請求項１４】
前記取得のステップでベンチレーションユニットのパラメータのほかに設定も取得し、前記優先のステップで受信されたパラメータと同様に受信された設定にも優先順位を付ける、請求項１３記載のシステム。
【請求項１５】
順位付けられたパラメータおよび設定を表示するウィンドウを生成するステップを含む、請求項３記載の方法。
【請求項１６】
前記生成のステップをインターネットブラウザにより行う、請求項１５記載の方法。
【請求項１７】
前記生成のステップでベンチレーションユニットのパラメータおよび設定が表示される際に変化したパラメータまたは変更された設定が異なる色で表されるようにする、請求項１５記載の方法。
【請求項１８】
第１のユーザコマンドに応じてベンチレーションユニットの新たなパラメータおよび設定の別のセットを取得するステップを含む、請求項１４記載の方法。
【請求項１９】
第２のユーザコマンドに応じてベンチレーションユニットのパラメータおよび設定に所望の順序で表示のための優先順位を付けるステップを含む、請求項１４記載の方法。
【請求項２０】
前記第２のユーザコマンドはフィルタリングリストの選択を含む、請求項１９記載の方法。
【請求項２１】
前記第２のユーザコマンドは選択されたパラメータおよび設定の値のセットの形成を含む、請求項１９記載の方法。
【請求項２２】
ユーザが複数のソースのうち１つを選択するステップを含む、請求項１２記載の方法。
【請求項２３】
パラメータおよび設定を含むベンチレーションユニットのデータを医療機器から通信ネットワークを介して取得し記憶する方法において、
通信ネットワークを介した医療機器との通信を確立するステップと、
選択されたベンチレーションユニットのデータを医療機器から通信ネットワークを介して取得するステップと、
取得されたベンチレーションユニットのデータのうち少なくとも１つ、すなわち１）ベンチレーションユニットの設定、または２）ベンチレーションユニットのパラメータの値が変化したか否かを判別するステップと、
値が変化したという判別結果に応答して取得したベンチレーションユニットのデータを記憶するステップとを有する
ことを特徴とするベンチレーションユニットのデータを医療機器から通信ネットワークを介して取得し記憶する方法。
【請求項２４】
ユーザの要求に応じて取得されるベンチレーションユニットのデータを、自動的に、すなわちデータが変化したか否かの判別ステップなしに記憶する、請求項２３記載の方法。
【請求項２５】
先行の取得データから変化しているベンチレーションユニットのデータを区別するために属性を割り当てるステップを含む、請求項２３または２４記載の方法。
【請求項２６】
値が所定の閾値を超えて変化しているか否かを判別するステップを含む、請求項２３から２５までのいずれか１項記載の方法。
【請求項２７】
閾値をユーザが設定する、請求項２６記載の方法。
【請求項２８】
ベンチレーションユニットの少なくとも１つの設定が変更されたことが判別された場合にのみ、取得されたベンチレーションユニットのデータを記憶する、請求項２３から２７までのいずれか１項記載の方法。
【請求項２９】
選択されたベンチレーションユニットのデータを周期的に取得する、請求項２３から２８までのいずれか１項記載の方法。
【請求項３０】
パラメータおよび設定を含むベンチレーションユニットのデータを医療機器から通信ネットワークを介して取得し記憶する方法において、
通信ネットワークを介した医療機器との通信を確立するステップと、
選択されたベンチレーションユニットのデータを周期的に医療機器から通信ネットワークを介して取得するステップと、
取得されたベンチレーションユニットのデータの値が変化したか否かを判別するステップと、
値が変化したという判別結果に応答して取得したベンチレーションユニットのデータを記憶するステップとを有する
ことを特徴とするベンチレーションユニットのデータを医療機器から通信ネットワークを介して取得し記憶する方法。
【請求項３１】
パラメータおよび設定を含むベンチレーションユニットのデータを医療機器から通信ネットワークを介して取得し記憶するシステムにおいて、
通信ネットワークを介した医療機器との通信を確立する手段と、
選択されたベンチレーションユニットのデータを医療機器から通信ネットワークを介して取得する手段と、
取得されたベンチレーションユニットのデータのうち少なくとも１つ、すなわち１）ベンチレーションユニットの設定、または２）ベンチレーションユニットのパラメータの値が変化したか否かを判別する手段と、
値が変化したという判別結果に応答して取得されたベンチレーションユニットのデータを記憶する手段とを有する
ことを特徴とするベンチレーションユニットのデータを医療機器から通信ネットワークを介して取得し記憶するシステム。
【請求項３２】
ユーザの要求に応じて取得されるベンチレーションユニットのデータを、自動的に、すなわちデータが変化したか否かの判別なしに記憶する手段を含む、請求項３１記載のシステム。
【請求項３３】
先行の取得データから変化しているベンチレーションユニットのデータを区別するために属性を割り当てる手段を含む、請求項３１または３２記載のシステム。
【請求項３４】
値が所定の閾値を超えて変化しているか否かを判別する手段を含む、請求項３１から３３までのいずれか１項記載のシステム。
【請求項３５】
閾値はユーザによって設定される、請求項３４記載のシステム。
【請求項３６】
ベンチレーションユニットの少なくとも１つの設定が変更されたことが判別された場合にのみ、取得されたベンチレーションユニットのデータを記憶する手段が設けられている、請求項３１から３５までのいずれか１項記載のシステム。
【請求項３７】
選択されたベンチレーションユニットのデータは周期的に取得される、請求項３１から３６までのいずれか１項記載のシステム。
【請求項３８】
パラメータおよび設定を含むベンチレーションユニットのデータを医療機器から通信ネットワークを介して取得し記憶するシステムにおいて、
通信ネットワークを介した医療機器との通信を確立する手段と、
選択されたベンチレーションユニットのデータを周期的に医療機器から通信ネットワークを介して取得する手段と、
取得されたベンチレーションユニットのデータの値が変化したか否かを判別する手段と、
値が変化したという判別結果に応答して取得されたベンチレーションユニットのデータを記憶する手段とを有する
ことを特徴とするベンチレーションユニットのデータを医療機器から通信ネットワークを介して取得し記憶するシステム。
【国際調査報告】
2004512916.tif 000036
2004512916.tif 000037
2004512916.tif 000038